(57)【特許請求の範囲】
【請求項１】
単回使用で使い捨ての毛髪着色器具であって、
毛髪着色料配合物のためのレセプタクル組立体であって、前記毛髪着色料配合物の供給源から前記毛髪着色料配合物を受け取ることが可能なポータル部材を有するレセプタクル組立体と、
前記レセプタクルに取り付けられ前記レセプタクルと流体連通するブラシヘッド／ディスペンサ部材とを備え、
前記レセプタクル内の前記毛髪着色料配合物が、使用者が前記レセプタクルを操作することにより、または、前記レセプタクルに作用するポンプにより、前記ブラシヘッド／ディスペンサに向けて送られ、前記レセプタクル組立体と前記ブラシヘッド／ディスペンサの組合せが、単回使用の着色事象のために構造的にサイズ決めおよび構成され、かつ、さらに単回使用後に前記使用者によって処分可能であり、
前記毛髪着色料配合物の前記供給源がパケット組立体であり、前記パケット組立体が、異なる着色料配合物の２つ以上のパケット、および顕色剤材料の１つのパケットを含み、前記パケット組立体が、さらに混合器組立体、およびパケット組立体と前記レセプタクル組立体とを連結するための接合部材を含み、
前記顕色剤材料および前記着色料配合物材料が、前記混合器組立体から前記着色料配合物の供給源内へ流れ、前記接合部材が、前記レセプタクル内への着色料配合物の動きを制御するための弁を含む、器具。
【請求項２】
前記レセプタクルが、１回の毛髪着色事象のためのサイズとされるか、または、１回の毛髪着色事象を完了するために再充填されるように構成される、請求項１に記載の器具。
【請求項３】
前記ブラシヘッドが、その遠位端部に開口部を有する複数の櫛歯を含み、前記着色料配合物が、動作時に、前記レセプタクル組立体から前記櫛歯を通って前記毛髪内へ移動する、請求項１に記載の器具。
【請求項４】
櫛歯が規則的に離間される、請求項３に記載の器具。
【請求項５】
前記ブラシヘッドが、その長さに沿って開口部を有する複数の櫛歯を含む、請求項１に記載の器具。
【請求項６】
前記櫛歯間、またはさらに前記櫛歯の近くに配置された剛毛束を含み、前記剛毛束が、前記櫛歯を僅かに越えて延在して、前記櫛歯を頭皮から離れさせるものとして作用する、請求項３に記載の器具。
【請求項７】
前記着色料配合物の供給源が、予め混合されたものであり、前記着色料配合物の供給源と前記レセプタクル組立体との間に流体密の接続が存在し、前記レセプタクル内への前記着色料配合物の流れを制御する前記レセプタクル組立体内の弁部材を含む、請求項１に記載の器具。
【請求項８】
前記レセプタクル組立体が、柔軟なハウジングを含み、その結果、使用者が前記ハウジングに押す力を加えることにより、前記ハウジング内の着色料配合物が前記ブラシヘッド部材内へ付勢される、請求項１に記載の器具。
【請求項９】
前記着色料配合物の供給源が、前記レセプタクルと統合され、前記着色料配合物の供給源が、外部の供給源から着色料配合物を受け取るための充填器要素（ｆｉｌｌｅｒ  ｅｌｅｍｅｎｔ）を含む、請求項１に記載の器具。
【請求項１０】
モータによって駆動されて着色料配合物を前記レセプタクルから前記ブラシヘッド／ディスペンサへ移動させるポンプを含む、請求項１に記載の器具。
【請求項１１】
前記ブラシヘッド／ディスペンサを横方向に前後に動かすための駆動組立体を含み、前記横方向運動の距離が、隣り合った櫛歯同士の距離の半分よりも大きいが、隣り合った櫛歯同士の距離の２倍よりも大きくはない、請求項１０に記載の器具。
【請求項１２】
ハウジング内に嵌合可能でありかつ前記ハウジングから取り外し可能である、請求項１に記載の器具。
【請求項１３】
前記ポンプおよび前記駆動組立体が、単一の駆動モータ組立体によって駆動される、請求項１１に記載の器具。
【請求項１４】
前記駆動組立体が、前記駆動モータに応答して前記ブラシヘッドを動かすクランク部材および連接棒部材を含む、請求項１１に記載の器具。
【請求項１５】
前記ブラシヘッドが前後に動かされるときに着色料配合物の漏出を防ぐためのシーリング部材を含む、請求項１１に記載の器具。
【請求項１６】
単回使用で使い捨ての毛髪着色器具であって、
毛髪着色料配合物のためのレセプタクル組立体であって、前記毛髪着色料配合物の供給源から前記毛髪着色料配合物を受け取ることが可能なポータル部材を有するレセプタクル組立体と、
前記レセプタクルに取り付けられ前記レセプタクルと流体連通するブラシヘッド／ディスペンサ部材とを備え、
前記レセプタクル内の前記毛髪着色料配合物が、前記レセプタクルに作用するポンプにより、前記ブラシヘッド／ディスペンサに向けて送られ、前記レセプタクル組立体と前記ブラシヘッド／ディスペンサの組合せが、単回使用の着色事象のために構造的にサイズ決めおよび構成され、かつ、さらに単回使用後に前記使用者によって処分可能であり、
前記器具が、モータによって駆動されて着色料配合物を前記レセプタクルから前記ブラシヘッド／ディスペンサへ移動させるポンプを含み、
前記器具が、前記ブラシヘッド／ディスペンサを横方向に前後に動かすための駆動組立体を含み、前記横方向運動の距離が、隣り合った櫛歯同士の距離の半分よりも大きいが、隣り合った櫛歯同士の距離の２倍よりも大きくはなく、
前記ポンプおよび前記駆動組立体が、単一の駆動モータ組立体によって駆動される、器具。
【請求項１７】
単回使用で使い捨ての毛髪着色器具であって、
毛髪着色料配合物のためのレセプタクル組立体であって、前記毛髪着色料配合物の供給源から前記毛髪着色料配合物を受け取ることが可能なポータル部材を有するレセプタクル組立体と、
前記レセプタクルに取り付けられ前記レセプタクルと流体連通するブラシヘッド／ディスペンサ部材とを備え、
前記レセプタクル内の前記毛髪着色料配合物が、前記レセプタクルに作用するポンプにより、前記ブラシヘッド／ディスペンサに向けて送られ、前記レセプタクル組立体と前記ブラシヘッド／ディスペンサの組合せが、単回使用の着色事象のために構造的にサイズ決めおよび構成され、かつ、さらに単回使用後に前記使用者によって処分可能であり、
前記器具が、モータによって駆動されて着色料配合物を前記レセプタクルから前記ブラシヘッド／ディスペンサへ移動させるポンプを含み、
前記器具が、前記ブラシヘッド／ディスペンサを横方向に前後に動かすための駆動組立体を含み、前記横方向運動の距離が、隣り合った櫛歯同士の距離の半分よりも大きいが、隣り合った櫛歯同士の距離の２倍よりも大きくはなく、
前記ブラシヘッドが前後に動かされるときに着色料配合物の漏出を防ぐためのシーリング部材を含む、器具。
【発明の詳細な説明】
【技術分野】
【０００１】
[0001]本開示は一般に、毛髪着色器具、特に家庭で有用な毛髪着色器具に関し、より具体的には、単回使用で消費できる製品である、そのような器具に関する。
【背景技術】
【０００２】
[0002]毛髪の着色、特に家庭での使用者による毛髪の着色は、満足な結果をもたらし得るが、面倒な場合もあり、また、場合によっては、予測できないまたは満足できない結果をもたらす。毛髪の着色は、一般に時間のかかることであり、また、洗浄する時間を必要とする。専門家によってまたは美容院でも使用され得る、典型的な在宅でのプロセスは、１つまたは複数の容器を開ける使用者によるステップ、および、それらの内容物を混合して所望の着色料配合物を作り出す使用者によるステップを含む、一連の特定のステップを伴う。次いで、配合物は、配合物を毛髪領域に擦り込み、次いでそれを梳くことを含めて、使用者によって毛髪に塗布される。プロセスの完了に続いて、道具は洗浄されて片付けられなければならない。
【発明の概要】
【発明が解決しようとする課題】
【０００３】
[0003]単回使用で消費できる製品の形態で予測可能な着色結果をもたらす、家庭で有用な着色器具を有することが、望ましいはずである。
【課題を解決するための手段】
【０００４】
[0004]したがって、単回使用で使い捨ての毛髪着色器具は、毛髪着色料配合物のためのレセプタクル組立体であって、毛髪着色料配合物の供給源から毛髪着色料配合物を受け取ることが可能なポータル部材を有するレセプタクル組立体と、レセプタクルに取り付けられレセプタクルと流体連通するブラシヘッド／ディスペンサ組立体と、を備え、レセプタクル内の毛髪着色料配合物は、使用者がレセプタクルを操作することにより、またはレセプタクルに作用するポンプにより、ブラシヘッド／ディスペンサに向けて送られ、組合せは、単回使用の着色事象のために構造的にサイズ決めおよび構成され、さらに、単回使用後に使用者によって処分可能である。
【図面の簡単な説明】
【０００５】
【図１】[0005]本発明の単回使用着色器具の１つの実施形態の断面図である。
【図２】[0006]本発明の単回使用毛髪着色器具の別の実施形態の１つの部分の断面図である。
【図３】[0007]本発明の毛髪着色器具の別の実施形態の概略図である。
【図４】[0008]図４Ａは、図３の実施形態の一部分の上面図である。図４Ｂは、図３の実施形態の一部分の端面図である。図４Ｃは、図３の実施形態の一部分の断面図である。
【図５】[0009]図３の実施形態の断面図である。
【発明を実施するための形態】
【０００６】
[00010]図１は、単回使用毛髪着色器具１０の１つの実施形態を示す。図１では、選択された色の予め混合された毛髪着色料配合物が、レセプタクル１２に接続可能な貯蔵容器または混合デバイス１４内に用意されている。
【０００７】
[00011]図１の実施形態では、レセプタクル１２は、１回の毛髪着色用途に十分な、おおよそ７０ｍｌの容量を有する。そのような実施形態では、レセプタクルの容量は、約４０から１４０ｍｌの範囲に及び得る。容量は、着色される毛髪の量、毛髪着色料配合物、および塗布の回数に応じて、レセプタクルごとに異なり得るが、上記の７０ｍｌの容量は、ほとんどの単回の毛髪着色事象には十分である。
【０００８】
[00012]レセプタクル１２の近位端部１８は、その中に弁２２を有するポート接続部２０を含む。ポート２０は、着色料配合物貯蔵ユニットまたは配合物混合デバイス１４の近位端部２５にある嵌め合いポート接続部２４と、流体密な関係でしっかりと嵌まり合う。レセプタクル１２および貯蔵ユニット１４がしっかりと嵌め合わせられると、着色料配合物は貯蔵ユニット１４からレセプタクル１２内へ流れることができる。
【０００９】
[00013]レセプタクル１２の遠位端部２６には、ブラシヘッド／分配器２７がある。ブラシヘッド／分配器２７は、流体経路２８により、レセプタクルの内部空間（ｉｎｔｅｒｉｏｒ  ｖｏｌｕｍｅ）と流体連通している。図示された実施形態におけるブラシヘッドは、複数の個別の櫛歯（ｔｉｎｅ）２９を含み、この櫛歯２９は数が異なり得るが、図示された実施形態では４本の独立した櫛歯を含む。櫛歯は、均一に離間されることも均一に離間されないことも、直線状とすることも非直線状とすることもできる。着色料配合物は、使用中、櫛歯から出て毛髪内へ流れる。様々な実施形態において、櫛歯の長さは、約１．２７ｃｍ（０．５インチ）から約３．８１ｃｍ（１．５インチ）の範囲に及ぶ。図示された実施形態では、櫛歯は、おおよそ１．７７８ｃｍ（０．７インチ）の長さであり、それぞれの櫛歯が、その遠位端部における直径がおおよそ０．２５４ｃｍ（０．１インチ）である開口部３０を有する。様々な実施形態において、櫛歯開口部の直径は、おおよそ０．１２７ｃｍ（０．０５インチ）からおおよそ０．２５４ｃｍ（０．１インチ）の範囲に及ぶ。様々な実施形態において、櫛歯２９のうちの１つまたは複数が、着色料配合物の横方向の送達を可能にするために、その長さに沿って複数の開口部を含む。様々な実施形態において、櫛歯２９の断面は、円形、多角形、円錐形、規則的または不規則な形状、などを含む、様々な形状、構造、または幾何形状を有し得る。
【００１０】
[00014]様々な実施形態において、単回使用毛髪着色塗布器１０は、様々な金属、セラミックス、ポリマー、複合材料、などから製造された、１つまたは複数の構造要素を含む。ポリマー材料の非限定的な例には、ポリ塩化ビニル、ポリエステル、ポリエチレン、ポリプロピレン、エチレン、もしくはポリオレフィン、またはそれらのノモポリマー（ｎｏｍｏｐｏｌｙｍｅｒ）もしくは共重合体が含まれる。
【００１１】
[00015]ブラシヘッドの端部の独立した櫛歯２９の間には、個別の剛毛束３１が位置決めされる。剛毛束３１は、櫛歯を越えて延在して、使用者の頭皮に対して櫛歯を離れさせるもの(スタンドオフ、standoff)として作用する。図示された実施形態では、剛毛束３１は、典型的には１０本の剛毛を含み、各束はおおよそ０．２５４ｃｍ（０．１インチ）の直径を有するが、これらの寸法は変化し得る。
【００１２】
[00016]レセプタクル１２は、柔軟な材料を含み、この柔軟な材料が使用者によって押されると、レセプタクル内の着色料配合物は、ブラシヘッドの中を移動させられて、ブラシヘッドから外に出される。次いで、使用者は、ブラシヘッドを移動させて、生え際、根元、および毛髪の残りの部分の、標準的な順序で毛髪を着色する。次いで、レセプタクルは、廃棄され得る。貯蔵ユニットは、今後の使用のために残されてもよいし、廃棄されてもよい。
【００１３】
[00017]図２は、図１の実施形態のレセプタクル１２とともに使用可能な、着色料パケット組立体を伴う、全体に３２で示された着色材料の供給源の別の実施形態を示す。図２の着色料パケット組立体３２は、３つの個別の着色料パケット３３、３４、３５を示し、そのそれぞれが、別々の色、例えばブロンド、赤、および茶を有する。しかし、単一の着色料パケットを含めて、他の数のパケットが使用されてもよい。図示された実施形態はまた、顕色剤パケット３６を含むが、単回使用器具では、顕色剤パケットは必要とされない。パケットのそれぞれは、それ自体の独立したポンプ３７〜４０を含む。ポンプは、個別のモータ（図示せず）によって駆動され、それらのモータは、着色プログラミングユニットによって制御される。個々のモータおよびポンプは、使用者によって選択され、プログラミングユニットによって読み込まれるカード、バーコード、などによりプログラミングユニットに伝えられる、所望の色を作り出すように制御される。図示された実施形態では、個々のパケットからの着色料配合物は、組合せ着色料ライン４６に向けて送られ、一方で顕色剤配合物は、顕色剤ライン４８に向けて送られる。２つのラインは、所望の色を作り出すために混合要素５０が位置決めされている、連結混合ライン４８内で出会う。
【００１４】
[00018]図２の組立体は、本発明の譲受人が所有する「Ｈａｉｒ  Ｃｏｌｏｒｉｎｇ  Ａｐｐｌｉａｎｃｅ」と題された同時係属出願でより詳細に説明されている。その出願の内容は、参照により本明細書に援用される。供給源ユニット３２は、レセプタクルに流体密な関係で連結する連結部材５２で終端する。パケット組立体３２は、所望の色が変わろうとそのままであろうと、他の単回使用レセプタクルとともに使用するために保持され得る。
【００１５】
[00019]図３〜５は、単回使用レセプタクルの別の実施形態を示す。この場合、単回使用レセプタクル５６は、下部ハウジング部材６０および上部ハウジング部材６２を含むハウジング５８内に収容され、上部ハウジング部材６２は、６３において下部ハウジング部材６０にヒンジ連結されている。単回使用レセプタクルは、ハウジング５８内に都合良く位置決めすることができ、かつ、ハウジング５８から都合良く取り出すことができる。単回使用レセプタクルは、所望の着色料を収容する着色料供給源小袋６４と、ブラシヘッド／分配器ユニット６６とを含む。小袋は、単回使用のものであってもよく、または、変形形態では、連結充填ライン６５（図４Ａ、４Ｂ）を通じて再充填され得る。その櫛歯６８を含むブラシヘッド６６は、図１に示されたものと同じように構成され得る。ブラシヘッド６６は、連結チューブ６８を介して小袋６４と流体連通している。ブラシヘッド組立体上には、駆動軸７４によって駆動されるクランク組立体７０が位置決めされる。駆動軸７４は、２つの部品から成る駆動結合組立体７６を通じてモータ７３（図５）によって駆動され、駆動結合組立体７６の一方の部品は、ハウジング５８内に位置し、もう一方の部品は、ブラシヘッド組立体６６の下部表面上に位置する。
【００１６】
[00020]クランク組立体は、ブラシヘッド組立体の可動部分８１に接続する連接棒７７を含む。可動部分は、連接棒の一方の端部７９が円運動を描き、他方の端部８０が可動部分８１を通常は櫛歯６８間の距離の０．５倍〜１．５倍である選択された距離にわたって直線的に駆動するので、連接棒の作用によって前後に摺動する。Ｏリング８２が、可動部分を取り囲んで、流体の漏出に対するシールとして作用する。駆動軸７４およびモータ７３はまた、クランク組立体の下に配置されたポンプ８４を駆動し、ポンプ８４は、着色材料を小袋６４からブラシヘッド内へ移動させ、ライン６８を通じて櫛歯から出す。したがって、ポンプの作用とブラシヘッドの運動は互いに結合されるが、変形形態では、クランク組立体およびポンプは、独立し得る。器具はまた、入／切ボタン９０、制御マイクロプロセッサ９２、および電池９４を含む。図３〜５の実施形態では、単回使用事象が終わると、小袋および連結ブラシヘッドユニットは、単回使用消耗品として処理され得る。別の小袋／ブラシヘッド組立体が、次回の単回使用事象のためにハウジングに挿入され得る。
【００１７】
[00021]したがって、単回の着色事象をもたらし、事象が終了すると単回事象消耗品が処分される、単回使用の器具が、いくつかの実施形態の形で開示された。
[00022]本発明の好ましい実施形態を含む様々な実施形態が、例示の目的のために開示されたが、以下に続く特許請求の範囲によって定義される本発明の精神から逸脱することなく様々な変更、修正、および置換が本発明に組み込まれ得ることが、理解されるべきである。
以上説明したように、本発明は以下の形態を有する。
［形態１］
単回使用で使い捨ての毛髪着色器具であって、
毛髪着色料配合物のためのレセプタクル組立体であって、前記毛髪着色料配合物の供給源から前記毛髪着色料配合物を受け取ることが可能なポータル部材を有するレセプタクル組立体と、
前記レセプタクルに取り付けられ前記レセプタクルと流体連通するブラシヘッド／ディスペンサ部材とを備え、
前記レセプタクル内の前記毛髪着色料配合物が、使用者が前記レセプタクルを操作することにより、または、前記レセプタクルに作用するポンプにより、前記ブラシヘッド／ディスペンサに向けて送られ、前記レセプタクル組立体と前記ブラシヘッド／ディスペンサの組合せが、単回使用の着色事象のために構造的にサイズ決めおよび構成され、かつ、さらに単回使用後に前記使用者によって処分可能である、器具。
［形態２］
前記レセプタクルが、１回の毛髪着色事象のためのサイズとされるか、または、１回の毛髪着色事象を完了するために再充填されるように構成される、形態１に記載の器具。
［形態３］
前記ブラシヘッドが、その遠位端部に開口部を有する複数の櫛歯を含み、前記着色料配合物が、動作時に、前記レセプタクル組立体から前記櫛歯を通って前記毛髪内へ移動する、形態１に記載の器具。
［形態４］
櫛歯が規則的に離間される、形態３に記載の器具。
［形態５］
前記ブラシヘッドが、その長さに沿って開口部を有する複数の櫛歯を含む、形態１に記載の器具。
［形態６］
前記櫛歯間、またはさらに前記櫛歯の近くに配置された剛毛束を含み、前記剛毛束が、前記櫛歯を僅かに越えて延在して、前記櫛歯を頭皮から離れさせるものとして作用する、形態３に記載の器具。
［形態７］
前記着色料配合物の供給源が、予め混合されたものであり、前記着色料配合物の供給源と前記レセプタクル組立体との間に流体密の接続が存在し、前記レセプタクル内への前記着色料配合物の流れを制御する前記レセプタクル組立体内の弁部材を含む、形態１に記載の器具。
［形態８］
前記レセプタクル組立体が、柔軟なハウジングを含み、その結果、使用者が前記ハウジングに押す力を加えることにより、前記ハウジング内の着色料配合物が前記ブラシヘッド部材内へ付勢される、形態１に記載の器具。
［形態９］
前記毛髪着色料配合物の前記供給源が、少なくとも１つの毛髪着色料のパケット、１つまたはゼロの顕色剤のパケット、混合器組立体、およびパケット組立体と前記レセプタクル組立体とを連結するための接合部材を含む前記パケット組立体であり、前記接合部材が、前記レセプタクル内への着色料配合物の動きを制御するための弁を含む、形態１に記載の器具。
［形態１０］
前記パケット組立体が、異なる着色料配合物の２つ以上のパケット、および顕色剤材料の１つのパケットを含み、前記顕色剤材料および前記着色料配合物材料が、前記混合器組立体から前記着色料配合物の供給源内へ流れる、形態９に記載の器具。
［形態１１］
前記着色料配合物の供給源が、前記レセプタクルと統合され、前記着色料配合物の供給源が、外部の供給源から着色料配合物を受け取るための充填器要素（ｆｉｌｌｅｒ  ｅｌｅｍｅｎｔ）を含む、形態１に記載の器具。
［形態１２］
モータによって駆動されて着色料配合物を前記レセプタクルから前記ブラシヘッド／ディスペンサへ移動させるポンプを含む、形態１に記載の器具。
［形態１３］
前記ブラシヘッド／ディスペンサを横方向に前後に動かすための駆動組立体を含み、前記横方向運動の距離が、隣り合った櫛歯同士の距離の半分よりも大きいが、隣り合った櫛歯同士の距離の２倍よりも大きくはない、形態１２に記載の器具。
［形態１４］
ハウジング内に嵌合可能でありかつ前記ハウジングから取り外し可能である、形態１に記載の器具。
［形態１５］
前記ポンプおよび前記駆動組立体が、単一の駆動モータ組立体によって駆動される、形態１３に記載の器具。
［形態１６］
前記駆動組立体が、前記駆動モータに応答して前記ブラシヘッドを動かすクランク部材および連接棒部材を含む、形態１３に記載の器具。
［形態１７］
前記ブラシヘッドが前後に動かされるときに着色料配合物の漏出を防ぐためのシーリング部材を含む、形態１３に記載の器具。
【図１】
0006574482.tif 000002
【図２】
0006574482.tif 000003
【図３】
0006574482.tif 000004
【図４Ａ】
0006574482.tif 000005
【図４Ｂ】
0006574482.tif 000006
【図４Ｃ】
0006574482.tif 000007
【図５】
0006574482.tif 000008